(57)【要約】【課題】屋上床面は少なからず傾斜しているのが普通であり、従来の束を屋上床面に並べると、屋上床面の傾斜に従って基台が傾斜し、支持プレートも傾いた姿勢となり、支持プレートに固定されるデッキも傾斜してしまうことになる。【解決手段】束１の基台３は傾斜した屋上床面Ｆに沿って傾くが、基台３が支持プレート１５に対し倒れ方向へ所定範囲で動作できるので、ボルト１３は垂直姿勢となることが可能である。これにより、支持プレート１５は水平な姿勢でデッキＤを支持することができる。【選択図】        図２
2005113490.tif 000002
【特許請求の範囲】
【請求項１】
基台と、前記基台に挿入されたネジ軸と、前記基台に備えられネジ軸が螺合される雌ネジ部材と、前記ネジ軸に設けられた支持プレートとからなる束において、基台を支持プレートに対し倒れ方向へ所定範囲で動作できるように連結する連結手段を備えたことを特徴とする束。
【請求項２】
請求項１に記載した束において、連結手段は基台に形成されネジ軸が隙間を空けて挿入される穴と、前記穴に挿入されたネジ軸が螺合する雌ネジ部材を倒れ方向に動作できる状態に収容する収容部とによって構成されていることを特徴とする束。
【請求項３】
請求項１に記載した束において、連結手段はネジ軸と支持プレートのいずれか一方側に設けられた球面状の凸部と、他方側に設けられ前記球面状の凸部が摺動自在に嵌まり込む球面状の凹部とによって構成されていることを特徴とする束。
【請求項４】
請求項１または２において記載した束において、ネジ軸に基台の上面に当接する面が傾斜した当接部材が取り付けられていることを特徴とする束。
【発明の詳細な説明】
【技術分野】
【０００１】
本発明は束に係り、特に設置面が傾斜していてもデッキを水平に保持できる機能を備えた束に関するものである。
【背景技術】
【０００２】
近年、ビルの屋上に庭園を設けることが行われるようになってきており、この庭園の中や脇には通常散策路が設けられる。この散策路は、例えば木製のデッキによって構成されており、デッキは屋上床面に複数配置された例えば特許文献１に示すような束によって支持される。この束は屋上床面に設置される基台と、基台に固定された雌ネジ部材に螺合するネジ軸と、ネジ軸の上面に固定された支持プレートとによって構成されている。
デッキは平行に並べた複数の根太と、この根太に掛け渡された板とによって構成されるものである。デッキを支持するための束は屋上床面に一定間隔で並べられ、支持プレートにデッキの根太が固定される。
【０００３】
【特許文献１】特開２００３−１３８７３２号公報
【発明の開示】
【発明が解決しようとする課題】
【０００４】
しかしながら、屋上床面は少なからず傾斜しているのが普通であり、特許文献１の束を屋上床面に並べると、屋上床面の傾斜に従って基台が傾斜し、支持プレートも傾いた姿勢となる。このため、支持プレートに固定されるデッキも傾斜してしまうことになる。
【０００５】
本発明は、上記の課題を解決するためになされたものであり、デッキを敷設する屋上床面が傾斜していても、デッキを水平に敷設できる束を提供することを目的とする。
【課題を解決するための手段】
【０００６】
この目的を達成するために、請求項１の発明は、基台と、前記基台に挿入されたネジ軸と、前記基台に備えられネジ軸が螺合される雌ネジ部材と、前記ネジ軸に設けられた支持プレートとからなる束において、基台を支持プレートに対し倒れ方向へ所定範囲で動作できるように連結する連結手段を備えたことを特徴とする束である。
【０００７】
請求項２の発明は、請求項１に記載した束において、連結手段は基台に形成されネジ軸が隙間を空けて挿入される穴と、前記穴に挿入されたネジ軸が螺合する雌ネジ部材を倒れ方向に動作できる状態に収容する収容部とによって構成されていることを特徴とする束である。
【０００８】
請求項３の発明は、請求項１に記載した束において、連結手段はネジ軸と支持プレートのいずれか一方側に設けられた球面状の凸部と、他方側に設けられ前記球面状の凸部が摺動自在に嵌まり込む球面状の凹部とによって構成されていることを特徴とする束である。
【０００９】
請求項４の発明は、請求項１または２において記載した束において、ネジ軸に基台の上面に当接する面が傾斜した当接部材が取り付けられていることを特徴とする束である。
【発明の効果】
【００１０】
本発明の束によれば、傾斜した床面であっても支持プレートを水平に保つことができ、デッキを水平に敷設することが可能である。
【実施例１】
【００１１】
図１から図５にしたがって本発明の第１の実施例に係る束１を説明する。
符号３は基台を示し、この基台３は鉄製でドーム形状をしており、上面には丸穴５が形成されている。丸穴５にはボルト１３が隙間を空けて挿入される。基台３の内部には収納部７が備えられており、この収納部７は基台３の上面裏側に固定されている。収納部７の内部空間は丸穴５に連通し、また収納部７の底面には丸穴９が形成されている。
この収納部７には雌ネジ部材としてのナット１１が収納されており、ナット１１と収納部７の内面との間には隙間が開いている。したがって、ナット１１は収納部７内において倒れ方向に動作できる状態になっている。
【００１２】
符号１３はネジ軸としてのボルトを示し、このボルト１３の上端には支持プレート１５の水平片１７が固定されている。この支持プレート１５には一端が上方に向かって垂直に曲げられた垂直片１９が形成されており、この垂直片１９には丸穴２１が２個形成されている。
ボルト１３には締付ナット２３が螺合し、さらに底面が傾斜した当接部材としての座金２５が嵌められている。ボルト１３は基台３の丸穴５から挿通されてナット１１に螺合し、その先端部が丸穴９から突出している。丸穴９とボルト１３との間には隙間が空いている。
束１は上記のような構成なので、基台３が支持プレート１５に対し倒れ方向へ所定範囲で動作できるようになっている。
【００１３】
次に、束１を使用して、根太Ｊと板材Ｉとから成るデッキＤを敷設する方法について説明する。
束１を設置する位置を決め、その位置に合成ゴム製のクッション材Ｃを置く。束１をクッション材Ｃ上に置いて、一定の間隔で屋上床面Ｆに配置する。次いで束１のボルト１３が基台３から突出する寸法を調節する。この調節はナット１１を器具などで押さえてボルト１３を回転させて行う。
【００１４】
次に、根太Ｊを支持プレート１５の上部に備え、丸穴２１を利用して木ネジ２７で固定する。そして、根太Ｊ上に板材Ｉを載置して木ネジ２７によって固定する。
図２に示すように、束１の基台３は傾斜した屋上床面Ｆに沿って傾くが、上記したように基台３が支持プレート１５に対し倒れ方向へ所定範囲で動作できるので、ボルト１３は垂直姿勢となることが可能である。これにより、支持プレート１５は水平な姿勢でデッキＤを支持することができる。
また、座金２５は基台３の上面に傾斜面が当接する。したがって、基台３と座金２５との接触面積が大きくなるため、ボルト１３はより一層安定して基台３に支持される。
上記のようにしてデッキＤを敷設すると、板材Ｉの端面どうしが互いに当接するので、支持プレート１５が倒れ方向へ動作することはない。
【実施例２】
【００１５】
図６および図７に本発明の第２の実施例に係る束５１を示す。束５１は束１と同様の構成部分を有するので、同様の構成部分には実施例１と同じ符号を付して説明を省略し、相違点についてのみ説明する。
符号５３はネジ軸を示し、このネジ軸５３の上端には球面状の凸部５５が設けられている。ネジ軸５３の下端は基台３に固定されたナット６１に螺合している。
符号５７は支持プレートを示し、この支持プレート５７の水平片１７の底面には、球面状の凸部５５が摺動自在に嵌まり込む球面状の凹部５９が固定されている。これにより、傾斜した屋上床面Ｆに設置した束５１において、基台３を支持プレート５７に対し倒れ方向へ所定範囲で動作できるようになっている。
【００１６】
束５１は、束１と同様にして支持プレート５７に根太Ｊが取り付けられる。束５１の基台３は傾斜した屋上床面Ｆに沿って傾くが、基台３は支持プレート５７に対し倒れ方向へ所定範囲で動作できるので、支持プレート５７が水平になり、デッキＤは水平な姿勢できる。
【００１７】
以上、本発明の実施例を説明したが、本発明の具体的構成はこの実施例に限定されるものではなく、本発明の要旨から外れない範囲での設計変更等があっても本発明に含まれる。
本発明の実施例では基台を鉄製としたが、合成樹脂製等でもよく、また、基台をドーム形状としたが、ピラミッド形状等、その他の形状としてもよい。本発明の実施例ではデッキを束に固定しているが、一般住宅等の建築物の床構造を支持するための束として使用してもよい。
また、実施例２ではネジ軸５３に凸部５５を、支持プレート５７に凹部５９を設けたが、ネジ軸５３に凹部５９を、支持プレート５７に凸部５５を設けてもよい。
【図面の簡単な説明】
【００１８】
【図１】本発明の第1の実施例に係る束の斜視図である。
【図２】本発明の第1の実施例に係る束の断面図である。
【図３】本発明の第1の実施例に係る束の使用方法を説明する斜視図である。
【図４】本発明の第1の実施例に係る束の使用方法を説明する断面図である。
【図５】本発明の第1の実施例に係る束の使用方法を説明する図である。
【図６】本発明の第２の実施例に係る束の一部切り欠き斜視図である。
【図７】本発明の第２の実施例に係る束の断面図である。
【符号の説明】
【００１９】
１  束      ３  基台      ５  丸穴      ７  収納部      ９  丸穴
１１  ナット      １３  ボルト      １５  支持プレート      １７  水平片
１９  垂直片      ２１  丸穴      ２３  締付ナット      ２５  座金
２７  木ネジ
５１  束      ５３  ネジ軸      ５５  凸部      ５７  支持プレート
５９  凹部      ６１  ナット
Ｆ  屋上床面      Ｄ  デッキ      Ｉ  板材
Ｊ  根太      Ｃ  クッション材
【図１】
2005113490.tif 000003
【図２】
2005113490.tif 000004
【図３】
2005113490.tif 000005
【図４】
2005113490.tif 000006
【図５】
2005113490.tif 000007
【図６】
2005113490.tif 000008
【図７】
2005113490.tif 000009